(57)【要約】【課題】コネクタ改良構造の提供。【解決手段】本考案のコネクタ改良構造は、絶縁フレーム、一組の導電端子、カード退出機構、及び、金属遮蔽体、からなる。絶縁フレーム上の一側にカード退出機構を設け、メモリカードを出し入れする。絶縁フレーム内に導電端子を有し、導電端子の一側は分段の常時開式スイッチ端子を有し、カード退出機構の滑塊上にフックを有して弾性片を結合し、カード挿入時、フックがメモリカードの凹槽に係入し、メモリカードを定位固定し、揺動せずに、信号伝送の安定を確保し、メモリカード退出時、フックがメモリカードを推送して、取り出しやすい。【選択図】    図２
0003131418.tif 000002
【実用新案登録請求の範囲】
【請求項１】
コネクタの改良構造であって、カード退出機構と、一組の導電端子と、絶縁フレームと、前記絶縁フレームを覆蓋する金属遮蔽体と、からなり、前記金属遮蔽体は孔を有し、前記絶縁フレーム辺縁の鞘と係合し、メモリカード挿入時、前記カード退出機構は前記メモリカードをしっかりと定位させて揺動せず、カード退出の弾力を提供するもので、その特徴は、前記絶縁フレーム上の一側の前記カード退出機構はメモリカードの挿入と退出を引導し、滑塊を有して、弾性素子の一端に抵接し、且つ、抵接部を有し、前記滑塊横はフックを有して、弾性片を結合し、前記弾性片の弾力は前記フックと前記滑塊間に容置空間を有し、前記フック前端は凸斜角と導斜角を有し、また、前記絶縁フレーム一側は前記導槽を設け、前記滑塊、及び、前記導斜角を滑動することを特徴とするコネクタの改良構造。
【請求項２】
前記カード退出機構は、滑塊と、引き棒と、弾性片と、弾性素子と、からなり、前記滑塊中にトラックを有し、前記滑塊がメモリカードにより推動される時、前記引き棒が前記トラック中で滑動し、前記滑塊が定位し、前記滑塊の一端は前記弾性素子を抵接し、前記滑塊が内に滑動する時、前記弾性素子を圧縮し、前記弾性素子は回復する弾性を提供し、また、前記滑塊横はフックを有して、弾性片を結合し、前記メモリカード挿入時、前記フックが前記メモリカード横の凹槽を係合して、前記メモリカードが定位することを特徴とする請求項１に記載のコネクタの改良構造。
【請求項３】
前記弾性素子はスプリングであることを特徴とする請求項２に記載のコネクタの改良構造。
【請求項４】
前記弾性片は鉄片であることを特徴とする請求項２に記載のコネクタの改良構造。
【請求項５】
前記金属遮蔽体は、引き棒圧片と複数のメモリ圧片を有し、それぞれ、前記引き棒と前記メモリカードを適当に下に施圧することを特徴とする請求項１に記載のコネクタの改良構造。
【請求項６】
前記導槽は広い部分と狭い部分を有し、前記メモリカードが定位する時、前記フックの導斜角は前記導槽に沿って滑動し、前記幅広い部分まで滑動すると、前記フックは弾出して前記メモリカードの凹槽に固定されて、前記メモリカードが安定して固定され、前記メモリカード退出時、前記メモリカードを内に押し、弾性素子の弾力により、前記カード退出機構を前推し、前記フックの凸斜角が前記導槽の頂端により推抵され、前記フックが前記メモリカードの凹槽２００を脱離し、前記フックの導斜角が前記導槽の狭い部分に滑入し、前記フックが前記容置空間に収容され、前記フックの抵接部が前記メモリカードを前に推送し、取り出しやすいことを特徴とする請求項１に記載のコネクタの改良構造。
【考案の詳細な説明】
【技術分野】
【０００１】
本考案は、コネクタの改良構造に関し、特に、メモリカードがしっかりと定位固定し、信号伝送の安定を確保し、メモリカード退出時、フックがメモリカードを推送して、取り出しやすいコネクタ構造に関する。
【背景技術】
【０００２】
情報科学技術とデジタル化の発展に伴い、ストレージ設備の発展も急速で、且つ、ストレージ設備の容量が大きくなるに連れて、ストレージ設備の小型化も実現されている。現在、デジタル製品は従来の軽薄短小なメモリカードをストレージ設備とし、メモリカードのコネクタはメモリカード使用の必需品となっている。
【０００３】
しかし、この種のメモリカードコネクタの体積は小さく、且つ、カード挿入距離が短いので、定位の確実性が分かりにくく、データ伝送の不安定を招く。よって、設備は触動スイッチによりメモリカードがある位置まで挿入されるとスイッチを起動させてメモリカード情報の伝送を開始している。公知の触動スイッチの形態は常時開式、或いは、常時閉式でも、二個、或いは、それ以上の異なる形態の素子からなり、製造工程と組み立てが煩雑であり、コストが高い。
【０００４】
また、メモリカード挿入定位後、しっかり固定していないと、衝撃や揺動で、メモリカードが緩んでシフトし、データ伝送エラーや損壊を生じたり、導電端子とメモリカード自身が摩損する恐れがある。
【考案の開示】
【考案が解決しようとする課題】
【０００５】
本考案の目的は、上述の問題を改善するコネクタの改良構造を提供することにある。
【課題を解決するための手段】
【０００６】
本考案のコネクタ改良構造は、絶縁フレーム、一組の導電端子、カード退出機構、及び、金属遮蔽体、からなる。絶縁フレーム上の一側にカード退出機構を設け、メモリカードを出し入れする。絶縁フレーム内に導電端子を有し、導電端子の一側は分段の常時開式スイッチ端子を有し、カード退出機構の滑塊上にフックを有して弾性片を結合し、カード挿入時、フックがメモリカードの凹槽に係入し、メモリカードを定位固定し、揺動せずに、信号伝送の安定を確保し、メモリカード退出時、フックがメモリカードを推送して、取り出しやすい。
【考案の効果】
【０００７】
メモリカード挿入定位後、衝撃や揺動で、メモリカードが緩んでシフトし、データ伝送エラーや損壊を生じたり、導電端子とメモリカード自身が摩損することが防止され、また、メモリカードが取り出しやすいという長所が得られる。
【考案を実施するための最良の形態】
【０００８】
図１と図２は、本考案のコネクタの改良構造の分解と組み立て図である。コネクタ改良構造１は、絶縁フレーム２、一組の導電端子３、滑塊４、引き棒５、弾性片６、弾性素子７、及び、金属遮蔽体８、からなる。絶縁フレーム２は導電端子３とカード退出機構を承載するのに用いられ、カード退出機構は絶縁フレーム２一側の導槽２２中に滑塊４を設置する。滑塊４上にトラック４１を設置し、引き棒５により滑塊４滑動時、トラック４１中で滑動する。滑塊４横はフック４２を設置して弾性片６を結合する。弾性片６は鉄片である。金属遮蔽体８は絶縁フレーム２を覆蓋し、金属遮蔽体８上に引き棒圧片８１を有し、引き棒５がトラック４１で圧制され脱落しないようにする。複数のメモリカード圧片８２はメモリカード２０に圧力を加え、メモリカード２０と導電端子３は緊密に接触し、金属遮蔽体８側縁は複数の孔８３を有し、絶縁フレーム２の鞘２３と結合する。絶縁フレーム２外側に固定端子２１を設置し、回路板上に溶接して、カード退出機構を有し、且つ、メモリカード２０を固定し、伝送中に中断しないコネクタ改良構造１が完成する。
【０００９】
図３と図４を参照すると、カード退出機構は、滑塊４が弾性素子７の一端を抵接し、且つ、抵接部４３を設け、弾性素子７はスプリングである。滑塊４横はフック４２を有し弾性片６を結合し、弾性片６の弾力でフック４２と滑塊４間に容置空間４０を有する。フック４２前端は凸斜角４５、及び、導斜角４４を有し、絶縁フレーム２一側は導槽２２を有し、滑塊４、及び、導斜角４４を滑動させ、導槽２２は広い部分２２０と狭い部分２２１を有する。
【００１０】
図３〜図６で示されるように、カード退出機構の滑塊４と導斜角４４は絶縁フレーム２の導槽２２内で滑動し、滑塊４は内に滑動する時、フック４２は弾性片６の弾力により、導斜角４４を導槽２２の広い部分２２０に係入させ、且つ、フック４２と滑塊４間に容置空間４０を有し、滑塊４が外に滑動する時、フック４２の導斜角４４は導槽２２の狭い部分２２１に係入し、フック４２は圧力によって押され、容置空間４０内に収置される。
【００１１】
図７〜図９で示されるように、メモリカード２０が定位される時、フック４２の導斜角４４は導槽２２に沿って滑動し、導槽２２の狭い部分２２０に滑動すると、フック４２が弾出してメモリカード２０の凹槽２００に固定され、メモリカード２０が安定して固定される。メモリカード２０退出時、メモリカード２０を内に押し、弾性素子７を圧縮して、弾性素子７の弾力により、カード退出機構を前推し、フック４２の凸斜角４５が導槽２２の頂端により推抵され、フック４２がメモリカード２０の凹槽２００を脱離し、フック４２の導斜角２２が導槽２２の狭い部分２２１に滑入し、フック４２が容置空間４０に収容され、フック４２の抵接部４３がメモリカード２０を前に推送し、取り出しやすい。
【図面の簡単な説明】
【００１２】
【図１】本考案のコネクタ改良構造の分解図である。
【図２】本考案のコネクタ改良構造の組み立て図である。
【図３】本考案のコネクタ改良構造のカード退出機構の立体図である。
【図４】本考案のコネクタ改良構造の絶縁フレームの局部拡大図である。
【図５】本考案のコネクタ改良構造の動作図（１）である。
【図６】本考案のコネクタ改良構造の動作図（２）である。
【図７】本考案のコネクタ改良構造の一実施例による動作図（１）である。
【図８】本考案のコネクタ改良構造の一実施例による動作図（２）である。
【図９】本考案のコネクタ改良構造の一実施例による動作図（３）である。
【符号の説明】
【００１３】
１        コネクタ改良構造
２        絶縁フレーム
２０      メモリカード
２００    凹槽
２１      固定素子
２２      導槽
２２０    広い部分
２２１    狭い部分
２３      鞘
３        導電端子
４        滑塊
４０      容置空間
４１      トラック
４２      フック
４３      抵接部
４４      導斜角
４５      凸斜角
５        引き棒
６        弾性片
７      弾性素子
８      金属遮蔽体
８１    引き棒圧片
８２    メモリカード圧片
８３    孔
【図１】
0003131418.tif 000003
【図２】
0003131418.tif 000004
【図３】
0003131418.tif 000005
【図４】
0003131418.tif 000006
【図５】
0003131418.tif 000007
【図６】
0003131418.tif 000008
【図７】
0003131418.tif 000009
【図８】
0003131418.tif 000010
【図９】
0003131418.tif 000011